(57)【特許請求の範囲】
【請求項１】
ネットワークの動作方法において、少なくとも１つのアプリケーションまたはリソース消費者に関してＡＬＴＯ（Application-Layer Traffic Optimization）プロセスが実行され、
前記少なくとも１つのアプリケーションまたはリソース消費者に関するトラフィック情報が前記ＡＬＴＯプロセス内で提供され使用され、
前記トラフィック情報が、前記少なくとも１つのアプリケーションまたはリソース消費者に関する現在のトラフィック局所化度を含み、
前記トラフィック情報が、少なくとも１つのリソース消費者またはアプリケーションによる前記ＡＴＬＯプロセスへの送信またはフィードバックプロセスから取得される
ことを特徴とするネットワークの動作方法。
【請求項２】
前記ＡＬＴＯプロセスが、ＡＬＴＯサーバ内で実行されることを特徴とする請求項１に記載の方法。
【請求項３】
前記トラフィック情報が、所定の時間間隔で、または前記ＡＬＴＯプロセスによる要求に応じて、前記ＡＬＴＯプロセスに提供されることを特徴とする請求項１または２に記載の方法。
【請求項４】
前記トラフィック情報が、サービスプロバイダによって提供されることを特徴とする請求項１ないし３のいずれか１項に記載の方法。
【請求項５】
前記トラフィック情報が、前記ＡＬＴＯプロセスをホストするサービスプロバイダによって提供されることを特徴とする請求項１ないし４のいずれか１項に記載の方法。
【請求項６】
前記トラフィック情報が、リソース消費者またはアプリケーションによる定期的なＡＬＴＯクエリとともに前記ＡＴＬＯプロセスに提供されることを特徴とする請求項１に記載の方法。
【請求項７】
前記トラフィック情報が、サービスプロバイダの測定またはサービスプロバイダのトラフィックモニタリングによって取得されることを特徴とする請求項１ないし５のいずれか１項に記載の方法。
【請求項８】
前記トラフィック情報が、それぞれのリソース消費者またはアプリケーションのすべてのコネクションまたはリンクにわたって計算された局所化統計量を含むことを特徴とする請求項１ないし７のいずれか１項に記載の方法。
【請求項９】
前記トラフィック情報が、それぞれのリソース消費者またはアプリケーションのすべての交換されたチャンクにわたって計算された局所化統計量を含むことを特徴とする請求項１ないし８のいずれか１項に記載の方法。
【請求項１０】
前記ＡＬＴＯプロセスが、前記トラフィック情報に基づいて、少なくとも１つのリソース消費者またはアプリケーションに対するリソース提供者選択に関するガイダンス情報を動的に適応させることを特徴とする請求項１ないし９のいずれか１項に記載の方法。
【請求項１１】
前記ＡＬＴＯプロセスが、現在のトラフィック局所化度情報に基づいて、少なくとも１つのリソース消費者またはアプリケーションに対するリソース提供者選択に関するガイダンス情報を動的に適応させることを特徴とする請求項１ないし９のいずれか１項に記載の方法。
【請求項１２】
少なくとも１つのアプリケーションまたはリソース消費者に関してＡＬＴＯ（Application-Layer Traffic Optimization）プロセスを実行する手段と、
前記ＡＬＴＯプロセス内で使用するために前記少なくとも１つのアプリケーションまたはリソース消費者に関するトラフィック情報を提供する手段と
を備えたネットワークにおいて、
前記トラフィック情報が、前記少なくとも１つのアプリケーションまたはリソース消費者に関する現在のトラフィック局所化度を含み、
前記トラフィック情報が、少なくとも１つのリソース消費者またはアプリケーションによる前記ＡＴＬＯプロセスへの送信またはフィードバックプロセスから取得される
ことを特徴とするネットワーク。
【発明の詳細な説明】
【技術分野】
【０００１】
本発明は、ネットワーク、特にＩＰ（Internet Protocol）ネットワークの動作方法に関する。少なくとも１つのアプリケーションまたはリソース消費者に関してＡＬＴＯ（Application-Layer Traffic Optimization）プロセスが実行される。また、本発明は、少なくとも１つのアプリケーションまたはリソース消費者に関してＡＬＴＯ（Application-Layer Traffic Optimization）プロセスを実行する手段を備えたネットワーク、特にＩＰネットワークに関する。
【背景技術】
【０００２】
近年、研究者は、一部のアプリケーションがネットワーク層の局所性を考慮しないためにアプリケーション層トラフィックによって引き起こされる、ＩＳＰ（インターネットサービスプロバイダ）間トラフィック量の増大のようないくつかの問題を低減するために、下位ネットワーク層によって提供される情報（例えばトポロジー、コスト、あるいはポリシー）が有用となり得るようなアプローチの提案・検討をし始めている。ある特定のリソース（例えばある特定のデータまたはファイルのチャンク）が、分散アプリケーションの複数のクライアントで入手可能であるとすると、リソース消費者（すなわち、ある特定のリソースをダウンロードしようとしているクライアント）は、「ランダムよりも良好な」方法で相異なるリソース提供者間で選択を行うことができる場合に、トラフィックフローを最適化することができる。アプリケーション層トラフィック最適化（Application-Layer Traffic Optimization, ＡＬＴＯ）は、下位ネットワークに関する情報を提供することによって、ランダムよりも良好なリソース提供者選択をするためのＩＥＴＦ（Internet Engineering Task Force）標準として現在策定中である。事業者が、例えばＡＬＴＯ情報を用いて、コストを節減するためにリソース消費者とリソース提供者との間のデータ交換を局所化しようとするときには、トラフィックを「過剰に局所化する」ことにより、リソース消費者が、受け入れ可能なサービス品質を達成することができない（例えば、ライブストリーミングアプリケーションの場合に、必要なすべてのデータを受信できない）という危険な不利益を被るリスクがある。
【０００３】
ＩＥＴＦのＡＬＴＯワーキンググループでは、例えばＰ２Ｐ（Peer-to-Peer）アプリケーション等のアプリケーションが「ランダムよりも良好な」リソース提供者選択を実行することができるようにアプリケーションを誘導するためのプロトコルを標準化中である（非特許文献１参照）。現在、例えばＰ２Ｐアプリケーション等の多くの分散アプリケーションが、多かれ少なかれランダムに接続相手（ピア）を選択する。これは、ＩＳＰにとって高いコストを生じる。というのは、ネットワーク層トポロジーにおいて近くで入手可能であるかもしれないコンテンツが、ネットワーク層トポロジーにおいて遠くのリソース提供者から取得されるからである。
【０００４】
ＡＬＴＯでは、例えばＰ２Ｐ等のアプリケーションは、ＡＬＴＯサーバから候補リソース提供者に関する情報を取得することにより、リソース提供者選択を最適化することができる。ＡＬＴＯサーバは、例えばアプリケーションのユーザのＩＳＰによって提供される。帯域外ＡＬＴＯサービスを通じてアプリケーションに伝達する意味のある情報の種類は、アプリケーション自体が容易には取得できない情報であって、トランスポート層で輻輳制御のために使用される即時的情報よりもはるかに長い時間スケールで変化する情報である（非特許文献１参照）。このような情報の例として、事業者のポリシー、地理的位置またはネットワーク近接性（例えば、２つのピア間のトポロジカル距離）、ある特定量のデータをピアとの間で送受信することに伴う伝送コスト、あるいは、ピアの事業者によって許可されている残存トラフィック量（例えば、割当枠、あるいは制限定額モデルの場合）がある。
【０００５】
非特許文献１は、ＡＬＴＯプロブレムステートメント（ALTO problem statement）を詳細に記述している。図１は、（非特許文献１から取り出した）典型的なＡＬＴＯシナリオを示している。なお、この図には、リソース消費者および提供者がＰ２ＰネットワークにおけるピアであるようなＡＬＴＯの典型的使用事例が図示されている。
【０００６】
ＡＬＴＯの構想は、ＩＳＰがトラフィック伝送コストを削減可能である一方で、アプリケーションがパフォーマンスを維持し、さらには向上させることが可能であるという、ＩＳＰおよびアプリケーションが双方に有利な状況を達成することができることである。ＡＬＴＯを通じてＩＳＰがコスト削減を達成する１つの方法は、トラフィック局所化によるものである。すなわち、ＡＬＴＯを通じて、同じＩＳＰ内にある他のリソース提供者をリソース消費者に提案することである。
【０００７】
ＡＬＴＯプロビジョニングのための従来の解決法は、以下の種類の情報をＡＬＴＯサーバに供給することを提案している。
・事業者のポリシー
・地理的位置情報またはネットワーク層近接性
・ある特定量のデータをリソース提供者との間で送受信することに伴う伝送コスト
【０００８】
しかし、ＩＳＰおよびアプリケーションの両者が利益を得るような情報をどのようにして適切にＡＬＴＯサーバに用意するかは、未解決の研究課題である。
【先行技術文献】
【非特許文献】
【０００９】
【非特許文献１】RFC 569, J. Seedorf, E. Burger: Application-Layer Traffic Optimization (ALTO) Problem Statement
【発明の概要】
【発明が解決しようとする課題】
【００１０】
本発明の目的は、ネットワークの動作方法および対応するネットワークにおいて、ＡＬＴＯにおける非常に効果的なトラフィック局所化を可能にするような改良およびさらなる展開を行うことである。
【課題を解決するための手段】
【００１１】
本発明によれば、上記の目的は、請求項１の構成を備えた方法および請求項１４の構成を備えたネットワークによって達成される。
【００１２】
請求項１によれば、本方法は、前記少なくとも１つのアプリケーションまたはリソース消費者に関するトラフィック情報が前記ＡＬＴＯプロセス内で提供され使用されることを特徴とする。
【００１３】
請求項１４によれば、本ネットワークは、前記ＡＬＴＯプロセス内で使用するために前記少なくとも１つのアプリケーションまたはリソース消費者に関するトラフィック情報を提供する手段を備えたことを特徴とする。
【００１４】
本発明によって認識されたこととして、前記少なくとも１つのアプリケーションまたはリソース消費者に関するトラフィック情報を提供し使用することによって、ＡＬＴＯにおける非常に効果的なトラフィック局所化が可能となる。このようなトラフィック情報提供に基づいて、サービスプロバイダおよびアプリケーションまたはリソース消費者の両方が利益を得る。サービスプロバイダの目標と、アプリケーションまたはリソース消費者の要求との間で、双方に有利な状況を達成することができる
【００１５】
好ましい実施形態において、トラフィック情報は、現在のトラフィック局所化度を含んでもよい。これは、ある特定のアプリケーションに対するサービスプロバイダの現在の「局所性の程度」であってもよい。好ましくは、前記ＡＬＴＯプロセスがＡＬＴＯサーバ内で実行されてもよい。
【００１６】
非常に効果的なトラフィック局所化に関して、トラフィック情報は頻繁に、好ましくは所定の時間間隔で、または前記ＡＬＴＯプロセスもしくは前記ＡＬＴＯサーバによる要求に応じて、前記ＡＬＴＯプロセスまたは前記ＡＬＴＯサーバに提供されてもよい。
【００１７】
トラフィック情報の提供はさまざまな方法で実行可能である。好ましい一実施形態において、トラフィック情報は、サービスプロバイダ、特にＩＳＰ（インターネットサービスプロバイダ）によって提供されてもよい。さらに好ましい実施形態において、トラフィック情報は、前記ＡＬＴＯサーバをホストするサービスプロバイダによって提供されてもよい。
【００１８】
別の好ましい実施形態において、トラフィック情報は、少なくとも１つのリソース消費者またはアプリケーションによるＡＴＬＯプロセスまたはＡＬＴＯサーバへの送信またはフィードバックプロセスから取得されてもよい。このようなフィードバックプロセスに基づいて、非常に効果的なＡＬＴＯプロセスが可能となる。
【００１９】
非常に簡単な送信またはフィードバックプロセスに関して、トラフィック情報は、リソース消費者またはアプリケーションによる定期的なＡＬＴＯクエリとともにＡＴＬＯプロセスまたはＡＬＴＯサーバに提供されてもよい。
【００２０】
好ましい代替実施形態において、トラフィック情報は、サービスプロバイダの測定またはサービスプロバイダのトラフィックモニタリングによって取得されてもよい。これは、サービスプロバイダの測定またはモニタリングのための対応するインフラストラクチャを必要とする。
【００２１】
トラフィック情報は、それぞれのリソース消費者またはアプリケーションのすべてのコネクションまたはリンクにわたって計算された局所化統計量を含んでもよく、あるいは、それぞれのリソース消費者またはアプリケーションのすべての交換されたチャンクにわたって計算された局所化統計量を含んでもよい。上記の局所化統計量は両方とも、効果的なＡＬＴＯプロセスを提供するために有用である。ただし、適当なトラフィック情報を計算または提供するには他の可能性もある。
【００２２】
非常に効果的なトラフィック局所化に関して、ＡＬＴＯプロセスは、前記トラフィック情報に基づいて、または、特に現在のトラフィック局所化度情報に基づいて、少なくとも１つのリソース消費者またはアプリケーションに対するリソース提供者選択に関するガイダンス情報を動的に適応させてもよい。
【００２３】
本発明によれば、リソース消費者から、またはサービスプロバイダもしくはＩＳＰの測定を通じて取得可能な、ある特定のアプリケーションに固有のトラフィック局所化度に関する情報を、頻繁にＡＬＴＯサーバに供給することによって、従来技術よりも動的なＡＬＴＯサーバプロビジョニングを提供することが可能である。本発明によれば、過剰な局所化、すなわち、リソース消費者が、あまりに多くのローカルリソース提供者に接続されているために重要なリソース提供者から切断されたり、適時にデータ項目を取得できなかったりする問題を防止することが可能である。本発明は、最適なトラフィック局所化が達成可能であるように従来のＡＬＴＯサーバプロビジョニングを改良することができる。
【００２４】
本発明の重要な側面は、トラフィック局所化度、すなわち、ある特定のアプリケーションに対するＩＳＰまたはサービスプロバイダの現在の「局所性の程度」、に関する情報が頻繁にＡＬＴＯサーバに供給され、「過剰な局所化」の現象を回避するのに役立つような、ＡＬＴＯのための制御メカニズムを導入することである。このような情報は、実際には、ＡＬＴＯサーバをホストするＩＳＰまたはサービスプロバイダによって、次のようなさまざまな方法で取得されることが可能である。
ａ）リソース消費者からＡＬＴＯサーバへのフィードバックとして取得される。
ｂ）ＩＳＰまたはサービスプロバイダの測定を通じて。
【００２５】
そして、ＡＬＴＯサーバは、ＩＳＰまたはサービスプロバイダのネットワークにおける現在の局所化度に基づいて、リソース消費者へ送信するガイダンス情報を動的に適応させることができる。
【００２６】
リソース消費者は、自己の現在の局所化度をＡＬＴＯサーバに頻繁に、例えば定期的なＡＬＴＯクエリにピギーバックして、提供することができる。各リソース消費者ｒｃは、そのすべてのコネクションにわたって計算された局所化統計量（ＬｏｃＬｉｎｋ（ｒｃｉ））または交換されたチャンクにわたって計算された局所化統計量（ＬｏｃＣｈｕｎｋ（ｒｃｉ））をＡＬＴＯサーバへ頻繁に送信する。ＡＬＴＯサーバは、これらの値を用いて、全体的な局所化度を計算することが可能である。
【００２７】
このフィードバックをリソース消費者から直接受信する代わりに、与えられた特定の状況において、ＡＬＴＯサーバをホストしているＩＳＰまたはサービスプロバイダが、リソース消費者の局所化度を測定してもよい。例えば、最適化されるべきアプリケーションがウェルノウンポートを使用し、ＩＳＰまたはサービスプロバイダが必要なモニタリングインフラストラクチャを適所に有している場合、このＩＳＰまたはサービスプロバイダは、トラフィックをモニタリングすることによって、上記の局所化統計量ＬｏｃＬｉｎｋ（ｒｃｉ）またはＬｏｃＣｈｕｎｋ（ｒｃｉ）を原理的に測定することが可能である。なお、これは、ＩＳＰまたはサービスプロバイダによる高度なモニタリングインフラストラクチャを必要とする場合がある。
【００２８】
本発明によれば、動的に変化する局所性情報を考慮することにより、ＡＬＴＯガイダンスの適応／調整を行い、より動的なＡＬＴＯガイダンスを実現することができる。また、ＡＬＴＯガイダンスにおける過剰な局所化を防止する効果的な手段を提供することができるので、最適なトラフィック局所化を達成することができ、「ランダムよりも良好な」だけでなく、サービスプロバイダと例えばＰ２Ｐアプリケーション等のアプリケーションとの間の真に双方に有利な状況を達成することができる。本発明によれば、サービスプロバイダは、過剰な局所化を検出し、そのＡＬＴＯガイダンスを動的に適応させることができる。
【００２９】
これまで、ＡＬＴＯサーバへの情報の適切なプロビジョニングは、ＩＥＴＦ標準化の範囲外であり、研究においてもあまり注目されてこなかった。本発明は、ＡＬＴＯサーバに対する有用な情報のこのようなプロビジョニングにより、ＡＬＴＯサーバがリソース提供者選択を適切に誘導することをまさに目標とする。すなわち、ＩＳＰまたはサービスプロバイダがトラフィック局所化を通じてコストを節減すると同時に、アプリケーションが、例えば必要なデータ項目を適時に受信することによって、妥当なパフォーマンスを維持するようにすることを目標とする。
【００３０】
本発明を好ましい態様で実施するにはいくつもの可能性がある。このためには、一方で請求項１に従属する諸請求項を参照しつつ、他方で図面により例示された本発明の好ましい実施形態についての以下の説明を参照されたい。図面を用いて本発明の好ましい実施形態を説明する際には、本発明の教示による好ましい実施形態一般およびその変形例について説明する。
【図面の簡単な説明】
【００３１】
【図１】ＡＬＴＯ要素間のプロトコルインタラクションの概要を示す図である。
【図２】従来技術のＡＬＴＯプロビジョニングを例示する図である。
【図３】ピアフィードバックを有する、本発明によるＡＬＴＯプロセスの第１実施形態を例示する図である。
【図４】ＩＳＰ測定からの局所性フィードバックを有する、本発明によるＡＬＴＯプロセスの第２実施形態を例示する図である。
【発明を実施するための形態】
【００３２】
図１は、リソース消費者および提供者がＰ２ＰネットワークにおけるピアであるようなＡＬＴＯプロセスの典型的使用事例を示している。特に、図１は、ＡＬＴＯ要素間のプロトコルインタラクションの概要を示しており、本発明の領域は図１の左側に示されている。
【００３３】
本発明の基礎となる１つの仮定は、ＩＳＰの利益とアプリケーションの利益との間のバランスを最良の形で実現する、ある特定の「最適な」局所化の程度が存在するということである。なお、この「最適な」局所化度は、きわめてアプリケーションに依存する。例えば、ライブストリーミングとファイル共有とでは、「最適な」局所化度は、非常に異なる可能性がきわめて高く、本発明が機能するために既知／計算済みである必要はない。本発明の利点は、局所化とアプリケーションパフォーマンスとの間の最適なバランスが達成可能であるように、リソース消費者に提供されるＡＬＴＯ情報を動的に適応させることである。このように、本発明は、従来技術よりも動的なＡＬＴＯサーバプロビジョニングを目標とする。
【００３４】
本発明の重要な側面は、ある特定のアプリケーションに対するトラフィック局所化度、すなわち、そのようなアプリケーションに対するＩＳＰの現在の「局所性の程度」、に関する情報が頻繁にＡＬＴＯサーバに供給されるような、ＡＬＴＯのためのフィードバックメカニズムを導入することである。このような情報は、好ましくはＡＬＴＯサーバをホストするＩＳＰによって、次のようなさまざまな方法で取得されることが可能である。
ａ）リソース消費者からＡＬＴＯサーバへのフィードバックとして取得される。
ｂ）ＩＳＰまたはサービスプロバイダの測定を通じて。
【００３５】
そして、ＡＬＴＯサーバは、ＩＳＰまたはサービスプロバイダのネットワークにおける現在の局所化度に基づいて、ピアあるいはリソース消費者へ送信するガイダンス情報を動的に適応させることができる。
【００３６】
局所化度の定義／計算：
ＡＬＴＯプロバイダ（通常は、アプリケーションのユーザのＩＳＰまたはサービスプロバイダ）は、トラフィック局所化に関する自己のネットワークにおける現在の状況を判定するため、トラフィック局所化の程度を計算する必要がある。局所化度を正確に計算するため、２つの好ましい実施例を以下で説明する。すなわち、ピア間のリンクに基づく局所性の計算と、ピア間で交換されるデータの実際のチャンクに基づく局所性の計算である。いずれの場合でも、ＡＬＴＯプロバイダは、Ｎ個の参加リソース消費者から取得または測定される個々の値に基づいて、そのネットワークに対する全体的な局所化度を計算することができる。なお、このような情報がＡＬＴＯを通じて提供されるので、ＡＬＴＯを使用する各リソース消費者は、自己の隣接するリソース提供者のいずれがＩＳＰ内リンク経由で接続され、いずれが接続されていないかを知っている。
【００３７】
１．リンクに基づく局所性の計算。リンクに基づく局所性：
【数１】
0005590748.tif 000002
【００３８】
２．チャンクに基づく局所性の計算。チャンクに基づく局所性：
【数２】
0005590748.tif 000003
【００３９】
局所化情報の取得：
ＩＳＰまたはサービスプロバイダが、現在の局所化度を計算するために必要な情報を取得するための２つの好ましい方法を概説する。
【００４０】
ａ）リソース消費者からＡＬＴＯへのフィードバックとして：リソース消費者は、自己の現在の局所化度をＡＬＴＯサーバに頻繁に、例えば定期的なＡＬＴＯクエリにピギーバックして、提供することができる。各リソース消費者は、ＬｏｃＬｉｎｋ（ｒｃｉ）またはＬｏｃＣｈｕｎｋ（ｒｃｉ）をＡＬＴＯサーバへ頻繁に送信する。ＡＬＴＯサーバは、これらの値を用いて、上記で概説したように全体的な局所化度を計算することが可能である。
【００４１】
図２は、従来技術のＡＬＴＯプロビジョニングをＰ２Ｐアプリケーションについて例示している。
【００４２】
図３は、リソース消費者（すなわち、この例ではＰ２Ｐアプリケーションのピア）からの局所化度フィードバックを有する、本発明によるＡＬＴＯプロビジョニングを示している。
【００４３】
ｂ）ＩＳＰまたはサービスプロバイダの測定を通じて：リソース消費者からのフィードバックの代わりに、与えられた特定の状況において、ＡＬＴＯサーバをホストしているＩＳＰまたはサービスプロバイダが、リソース消費者の局所化度を測定してもよい。例えば、最適化されるべきアプリケーションがウェルノウンポートを使用し、ＩＳＰまたはサービスプロバイダが必要なモニタリングインフラストラクチャを適所に有している場合、このＩＳＰまたはサービスプロバイダは、トラフィックをモニタリングすることによって、ＬｏｃＬｉｎｋ（ｒｃｉ）またはＬｏｃＣｈｕｎｋ（ｒｃｉ）を原理的に測定することが可能である。なお、これは、ＩＳＰまたはサービスプロバイダによる特別のモニタリングインフラストラクチャを必要とする場合がある。
【００４４】
図４は、局所性フィードバックがＩＳＰまたはサービスプロバイダによって測定される、本発明によるＡＬＴＯプロセスの別の実施形態を示している。
【００４５】
本発明によれば、ＡＬＴＯガイダンスを最適化するためのクライアント（リソース消費者）フィードバックメカニズムを導入することが可能である。また、動的に変化する局所性情報を考慮することにより、ＡＬＴＯガイダンスの適応／調整を行うことが可能である。これにより、ＡＬＴＯガイダンスにおける過剰な局所化を防止する効果的な手段と、「最適な」トラフィック局所化のためにＡＬＴＯを調整するメカニズムとを提供することができる。
【００４６】
すなわち、本発明によれば、ＡＬＴＯを通じて誘導されるリソース消費者から受信されるフィードバックに従ってＡＬＴＯサーバガイダンスを適応させるシステムを提供することができる。フィードバックは、トラフィック統計量から導出される。トラフィック統計量は、特に局所的であることが可能である。フィードバックは、クライアント（すなわちリソース消費者）自身から受信されてもよく、サービスプロバイダまたはＩＳＰによって行われる測定から受信されることも可能である。
【００４７】
本発明によれば、ＡＬＴＯガイダンスにおけるＩＳＰとアプリケーションとの間の双方に有利な状況を達成するための最適な局所性の問題を解決することができる。より動的なＡＬＴＯガイダンスのために、ＩＳＰ局所性またはサービスプロバイダ局所性を考慮することができる。本発明によれば、ＩＳＰまたはサービスプロバイダは、過剰な局所化を検出し、そのＡＬＴＯガイダンスを動的に適応させることができる。最適なトラフィック局所化を達成することができ、それは「ランダムよりも良好な」だけでない。
【００４８】
上記の説明および添付図面の記載に基づいて、当業者は本発明の多くの変形例および他の実施形態に想到し得るであろう。したがって、本発明は、開示した具体的実施形態に限定されるものではなく、変形例および他の実施形態も、添付の特許請求の範囲内に含まれるものと解すべきである。本明細書では特定の用語を用いているが、それらは総称的・説明的意味でのみ用いられており、限定を目的としたものではない。
【図１】
0005590748.tif 000004
【図２】
0005590748.tif 000005
【図３】
0005590748.tif 000006
【図４】
0005590748.tif 000007